(57)【要約】【課題】  ディスクトレイの押出し引込み動作に連動して開閉カバーに開閉動作を行わせるための機構からばねを省略することにより、キャビネット内でのばねの脱落によって起こり得る不都合を防止する。【解決手段】  トレイ出入口２１０の内外間で押出し引込み動作するディスクトレイ１と、ディスクトレイ１の押出し引込み動作に追従してトレイ出入口２１０を開閉する開閉カバー３とを備える。係合機構５の係合部５１をディスクトレイ１に具備させ、その被係合部５２を開閉カバー３のアーム部３１に具備させる。ディスクトレイ１の引込み動作に連動する係合部５１と被係合部５２との係合動作を通じて開閉カバー３を閉動させる。ディスクトレイ１の押出し動作に連動する係合部５１と被係合部５２との係合状態の解除を通じて開閉カバー３を開動させる。【選択図】        図３
2006351075.tif 000002
【特許請求の範囲】
【請求項１】
キャビネットのトレイ出入口の内外間で押出し引込み動作するディスクトレイと、このディスクトレイの押出し引込み動作に追従して上記トレイ出入口を開閉する開閉カバーとを備えたディスク装置において、
上記開閉カバーが、上記トレイ出入口の内側下部で上記キャビネットに設けられた横軸を中心として上記トレイ出入口に対し出退揺動可能なアーム部と、そのアーム部の自由端に設けられてそのアーム部の後退時に上記トレイ出入口を閉じる閉位置とそのアーム部の突出時に上記トレイ出入口を開く開位置との間で開閉動可能なカバー本体とを備え、
上記ディスクトレイの押出し引込み動作に連動して互いに係脱される係合部と被係合部とを備える係合機構の上記係合部が上記ディスクトレイに具備され、かつ、その被係合部が上記アーム部に具備されていて、
上記アーム部を受け止めて上記開閉カバーを開位置に規制するカバー受部が上記トレイ出入口の口縁部に備わり、そのカバー受部によって上記アーム部が受け止められたときに、上記被係合部が、上記トレイ出入口から押し出されているディスクトレイ側の上記係合部の後方でその係合部に対峙するように構成され、
上記ディスクトレイの上記トレイ出入口の外側から内側への引込み動作に連動する上記係合部と被係合部との係合動作を通じて上記開閉カバーが開位置から閉位置へ閉動され、かつ、上記トレイ出入口の内側へ引き込まれた上記ディスクトレイにより上記係合部と被係合部との係合状態が維持されて上記開閉カバーが閉位置に保持されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されていると共に、上記トレイ出入口の内側から外側へ押し出された上記ディスクトレイが上記開閉カバーを押してその開閉カバーが開動されるようになっていることを特徴とするディスク装置。
【請求項２】
キャビネットのトレイ出入口の内外間で押出し引込み動作するディスクトレイと、このディスクトレイの押出し引込み動作に追従して上記トレイ出入口を開閉する開閉カバーとを備えたディスク装置において、
上記開閉カバーが、上記トレイ出入口の内側下部で上記キャビネットに設けられた横軸を中心として上記トレイ出入口に対し出退揺動可能なアーム部と、そのアーム部の自由端に設けられてそのアーム部の後退時に上記トレイ出入口を閉じる閉位置とそのアーム部の突出時に上記トレイ出入口を開く開位置との間で開閉動可能なカバー本体とを備え、
上記ディスクトレイの押出し引込み動作に連動して互いに係脱される係合部と被係合部とを備える係合機構の上記係合部が上記ディスクトレイに具備され、かつ、その被係合部が上記アーム部に具備されていて、
上記アーム部を受け止めて上記開閉カバーを開位置に規制するカバー受部が上記トレイ出入口の口縁部に備わり、そのカバー受部によって上記アーム部が受け止められたときに、上記被係合部が、上記トレイ出入口から押し出されているディスクトレイ側の上記係合部の後方でその係合部に対峙するように構成され、
上記ディスクトレイの上記トレイ出入口の外側から内側への引込み動作に連動する上記係合部と被係合部との係合動作を通じて上記開閉カバーが開位置から閉位置へ閉動され、かつ、上記トレイ出入口の内側へ引き込まれた上記ディスクトレイにより上記係合部と被係合部との係合状態が維持されて上記開閉カバーが閉位置に保持されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されていると共に、上記開閉カバーに、その開閉カバーの自重による前倒れ荷重が負荷されていて、その前倒れ荷重に従ってその開閉カバーがディスクトレイの上記押出し動作に連動して開動されるようになっていることを特徴とするディスク装置。
【請求項３】
キャビネットのトレイ出入口の内外間で押出し引込み動作するディスクトレイと、このディスクトレイの押出し引込み動作に追従して上記トレイ出入口を開閉する開閉カバーとを備えたディスク装置において、
上記ディスクトレイの押出し引込み動作に連動して互いに係脱される係合部と被係合部とを備える係合機構の上記係合部がディスクトレイ及び開閉カバーのうちの一方側に備わり、かつ、その他方側に上記被係合部が備わり、
上記ディスクトレイの上記トレイ出入口の外側から内側への引込み動作に連動する上記係合部と被係合部との係合動作を通じて上記開閉カバーが開位置から閉位置へ閉動されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されていることを特徴とするディスク装置。
【請求項４】
上記トレイ出入口の内側から外側へ押し出された上記ディスクトレイが上記開閉カバーを押してその開閉カバーが開動されるようになっている請求項３に記載したディスク装置。
【請求項５】
上記開閉カバーに、その開閉カバーの自重による前倒れ荷重が負荷されていて、その前倒れ荷重に従ってその開閉カバーがディスクトレイの上記押出し動作に連動して開動されるようになっている請求項３に記載したディスク装置。
【請求項６】
上記開閉カバーが、上記トレイ出入口の内側下部に設置されている横軸に揺動可能に取り付けられたアーム部と、そのアーム部の自由端に設けられたカバー本体とを備え、上記係合機構の係合部が上記ディスクトレイに具備され、かつ、その被係合部が上記アーム部に具備されている請求項３ないし請求項５のいずれか１項に記載したディスク装置。
【請求項７】
上記開閉カバーをその開位置で受け止めるカバー受部が上記キャビネットに備わり、そのカバー受部によって開閉カバーが受け止められたときに、上記被係合部が、上記トレイ出入口から押し出されているディスクトレイ側の上記係合部の後方でその係合部に対峙するように構成されている請求項６に記載したディスク装置。
【発明の詳細な説明】
【技術分野】
【０００１】
本発明は、ディスク装置、特に、キャビネットに備わっているトレイ出入口に開閉カバーが装備されていて、そのトレイ出入口の内外間で押出し引込み動作されるディスクトレイに連動して上記開閉カバーが開閉動されるようになっているディスク装置に関する。
【背景技術】
【０００２】
この種のディスク装置では、開閉カバーをばねを用いて閉動方向に常時付勢しておき、トレイ出入口の外側へ押し出されているディスクトレイがその内側へ引き込まれる動作に連動して、開閉カバーをばねの付勢によって開位置から閉位置にまで閉動させるという構成が一般的に採用されている（たとえば、特許文献１参照）。図５には上掲の特許文献１に示されているディスクプレーヤを示してある。同図のディスクプレーヤでは、開閉ドア６の支軸６ｂに巻回されているばね１０が、フロントパネル３ａに設けられたブラケット９により抜止めされていて、このばね１０が開閉ドア６を閉鎖方向に常時付勢している。なお、図５は特許文献１の図５に示された内容を符号を含めてそのまま再現したものであるので、同図に示されている符号は同図だけで使用され、後述する本発明の実施形態についての図１〜図４に示した符号とは無関係である。したがって、図１〜図４には、図５と同じ符号を用いることもあり得るものとする。
【０００３】
また、従来では、トレイを斜めに引き出す収納装置において、ドアを開く向きに付勢するねじりばねを用いた事例もあった（たとえば、特許文献２参照）。
【特許文献１】特開２００３−５１１８１号公報（図５）
【特許文献２】特開２００１−８４７４９号公報
【発明の開示】
【発明が解決しようとする課題】
【０００４】
しかしながら、上掲の特許文献１や同２に見られるように、ディスク装置の開閉カバーに開閉動作を行わせるためにばねを用いたものでは、そのばねが何らかの原因でキャビネットの内部に脱落してしまい、そのキャビネットの内蔵されている配線基板の回路をショートさせたり、あるいは、機構部分に入り込んで動作不良を招いたりするおそれがあるという問題があった。また、ディスク装置の組立ラインでばねを組み付けるための煩わしい作業が余分に必要になるという問題もあった。
【０００５】
本発明は以上の問題に鑑みてなされたものであり、ディスクトレイの押込み引込み動作に、開閉カバーの開閉動作を、ばねを用いない機構を介して機械的に連動させることのできる対策を講じることによって、ばねの脱落に伴って発生するおそれのある上述の問題を解決することのできるディスク装置を提供することを目的とする。
【０００６】
また、本発明は、開閉カバーに開閉動作を行わせる場合に、ばねを用いる必要をなくすることによって部品点数を削減し、併せて、ディスク装置の組立ラインでばねを組み付けるための煩わしい作業を省略することが可能になるディスク装置を提供することを目的とする。
【課題を解決するための手段】
【０００７】
本発明に係るディスク装置は、キャビネットのトレイ出入口の内外間で押出し引込み動作するディスクトレイと、このディスクトレイの押出し引込み動作に追従して上記トレイ出入口を開閉する開閉カバーとを備えている。そして、上記ディスクトレイの押出し引込み動作に連動して互いに係脱される係合部と被係合部とを備える係合機構の上記係合部がディスクトレイ及び開閉カバーのうちの一方側に備わり、かつ、その他方側に上記被係合部が備わり、上記ディスクトレイの上記トレイ出入口の外側から内側への引込み動作に連動する上記係合部と被係合部との係合動作を通じて上記開閉カバーが開位置から閉位置へ閉動されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されている。
【０００８】
このディスク装置によると、ディスクトレイの押出し引込み動作を、ばねを用いない係合機構を介して開閉カバーの開閉動作に機械的に連動させているので、ばねの脱落に伴って配線基板の回路がショートするという問題の起こる余地がなくなるだけでなく、ディスク装置の組立ラインでばねを組み付けるための煩わしい作業を行う必要もなくなる。その上、ばねが不要になってそれだけ部品点数が削減されるためにコストダウンも図りやすくなる。
【０００９】
本発明では、上記トレイ出入口の内側から外側へ押し出された上記ディスクトレイが上記開閉カバーを押してその開閉カバーが開動されるようになっている、という構成を採用することが可能であり、また、上記開閉カバーに、その開閉カバーの自重による前倒れ荷重が負荷されていて、その前倒れ荷重に従ってその開閉カバーがディスクトレイの上記押出し動作に連動して開動されるようになっているという構成を採用することも可能である。前者によれば、トレイ出入口から押し出されたディスクトレイが開閉カバーを押して開動させるので、その開閉カバーを開閉動作を上下方向で行わせる必要性が必ずしもない。そのため、当該ディスク装置の設置姿勢を、水平姿勢や垂直姿勢といった任意の姿勢から選択することができるという利点がある。また、後者によれば、設置姿勢が水平姿勢に限定されるものの、開閉カバーの開動に関してディスクトレイと開閉カバーとの両者の相対的な組付け精度をそれほど考慮する必要がなくなるという利点がある。
【００１０】
本発明では、上記開閉カバーが、上記トレイ出入口の内側下部に設置されている横軸に揺動可能に取り付けられたアーム部と、そのアーム部の自由端に設けられたカバー本体とを備え、上記係合機構の係合部が上記ディスクトレイに具備され、かつ、その被係合部が上記アーム部に具備されている、という構成を採用することが可能である。この構成であれば、係合部を樹脂でディスクトレイと一体に成形し、被係合部を樹脂でアーム部と一体に成形することが可能であるために、部品点数を増加させることなく係合機構を構成することができるようになる。
【００１１】
本発明では、上記開閉カバーをその開位置で受け止めるカバー受部が上記キャビネットに備わり、そのカバー受部によって開閉カバーが受け止められたときに、上記被係合部が、上記トレイ出入口から押し出されているディスクトレイ側の上記係合部の後方でその係合部に対峙するように構成されていることが望ましい。これによっても、カバー受部を樹脂でキャビネットと一体に成形することができるために、部品点数が増加しないという利点がある。
【００１２】
本発明に係るディスク装置は、キャビネットのトレイ出入口の内外間で押出し引込み動作するディスクトレイと、このディスクトレイの押出し引込み動作に追従して上記トレイ出入口を開閉する開閉カバーとを備えたディスク装置において、上記開閉カバーが、上記トレイ出入口の内側下部で上記キャビネットに設けられた横軸を中心として上記トレイ出入口に対し出退揺動可能なアーム部と、そのアーム部の自由端に設けられてそのアーム部の後退時に上記トレイ出入口を閉じる閉位置とそのアーム部の突出時に上記トレイ出入口を開く開位置との間で開閉動可能なカバー本体とを備え、上記ディスクトレイの押出し引込み動作に連動して互いに係脱される係合部と被係合部とを備える係合機構の上記係合部が上記ディスクトレイに具備され、かつ、その被係合部が上記アーム部に具備されていて、上記アーム部を受け止めて上記開閉カバーを開位置に規制するカバー受部が上記トレイ出入口の口縁部に備わり、そのカバー受部によって上記アーム部が受け止められたときに、上記被係合部が、上記トレイ出入口から押し出されているディスクトレイ側の上記係合部の後方でその係合部に対峙するように構成され、上記ディスクトレイの上記トレイ出入口の外側から内側への引込み動作に連動する上記係合部と被係合部との係合動作を通じて上記開閉カバーが開位置から閉位置へ閉動され、かつ、上記トレイ出入口の内側へ引き込まれた上記ディスクトレイにより上記係合部と被係合部との係合状態が維持されて上記開閉カバーが閉位置に保持されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されていると共に、上記トレイ出入口の内側から外側へ押し出された上記ディスクトレイが上記開閉カバーを押してその開閉カバーが開動されるようになっている、という構成を採用することによっていっそう具体化される。この発明の作用などは後述する実施形態を参照して詳細に説明する。
【００１３】
同様に、本発明に係るディスク装置は、キャビネットのトレイ出入口の内外間で押出し引込み動作するディスクトレイと、このディスクトレイの押出し引込み動作に追従して上記トレイ出入口を開閉する開閉カバーとを備えたディスク装置において、上記開閉カバーが、上記トレイ出入口の内側下部で上記キャビネットに設けられた横軸を中心として上記トレイ出入口に対し出退揺動可能なアーム部と、そのアーム部の自由端に設けられてそのアーム部の後退時に上記トレイ出入口を閉じる閉位置とそのアーム部の突出時に上記トレイ出入口を開く開位置との間で開閉動可能なカバー本体とを備え、上記ディスクトレイの押出し引込み動作に連動して互いに係脱される係合部と被係合部とを備える係合機構の上記係合部が上記ディスクトレイに具備され、かつ、その被係合部が上記アーム部に具備されていて、上記アーム部を受け止めて上記開閉カバーを開位置に規制するカバー受部が上記トレイ出入口の口縁部に備わり、そのカバー受部によって上記アーム部が受け止められたときに、上記被係合部が、上記トレイ出入口から押し出されているディスクトレイ側の上記係合部の後方でその係合部に対峙するように構成され、上記ディスクトレイの上記トレイ出入口の外側から内側への引込み動作に連動する上記係合部と被係合部との係合動作を通じて上記開閉カバーが開位置から閉位置へ閉動され、かつ、上記トレイ出入口の内側へ引き込まれた上記ディスクトレイにより上記係合部と被係合部との係合状態が維持されて上記開閉カバーが閉位置に保持されるようになっていると共に、上記ディスクトレイの上記トレイ出入口の内側から外側への押出し動作に連動する上記係合部と被係合部との係合状態の解除を通じて上記開閉カバーが閉位置から開位置へ開動するように構成されていると共に、上記開閉カバーに、その開閉カバーの自重による前倒れ荷重が負荷されていて、その前倒れ荷重に従ってその開閉カバーがディスクトレイの上記押出し動作に連動して開動されるようになっている、という構成を採用することによってもいっそう具体化される。この発明の作用などは後述する実施形態を参照して詳細に説明する。
【発明の効果】
【００１４】
本発明に係るディスク装置によれば、ディスクトレイの押出し引込み動作に連動して開閉カバーに開閉動作を行わせるための機構にばねを用いていないため、キャビネット内でのばねの脱落による回路のショートや動作不良を発生する余地がなくなる。そのため、ユーザは安心してディスク装置を使用することが可能になる。また、ディスク装置の組立ラインでばねを組み付けるための煩わしい作業が不要になって量産性を高めやすくなり、併せて、ばねの削減によるゴストダウンを図りやすいという効果が奏される。
【発明を実施するための最良の形態】
【００１５】
図１〜図３は本発明に係るディスク装置の要部の構成及び作用を説明するための部分側面図、図４はディスク装置本体１００の概略斜視図である。
【００１６】
この実施形態では、図４に示したディスク装置本体１００がキャビネットの内部に収容されている。キャビネットは図１〜図３に示したフロントパネル２００を備えていて、そのフロントパネル２００に横長矩形のトレイ出入口２１０が形成されている。
【００１７】
図４に示したディスク装置本体１００は、筐体フレーム１１０に樹脂成形体でなるディスクトレイ１が押出し引込み可能に取り付けられているほか、そのディスクトレイ１に載置されて搬入された記録媒体としてのディスク（不図示）に対する記録や再生を行うための光学系要素や機構部品が筐体フレーム１１０に組み付けられている。そして、このディスク装置本体１００が、図１〜図３に示した上記フロントパネル２００を備えるキャビネットに収容されていて、そのディスクトレイ１が上記トレイ出入口２１０の内外間で押出し引込み動作されているようになっている。
【００１８】
図１〜図３のように、このディスク装置は上記トレイ出入口２１０を開閉する開閉カバー３を備えている。この開閉カバー３は、トレイ出入口２１０の内側下部でキャビネットを形成しているフロントパネル２００に設けられた横軸２２０を中心としてトレイ出入口２１０に対し出退揺動可能なアーム部３１と、そのアーム部３１の自由端に設けられた横長のカバー本体３２とを備えていて、アーム部３１が横軸２２０を中心として後退したときにカバー本体３２が閉位置に位置して図１のようにトレイ出入口２１０を閉じ、アーム部３１が横軸２２０を中心として突出したときにカバー本体３２が開位置に位置して図２又は図３のようにトレイ出入口２１０を開くようになっている。また、図例ではアーム部３１が弓形に形作られていて、そのアーム部３１がトレイ出入口２１０の下側の口縁部２１１を跨ぐ形態でその外側へ突出するようになっていると共に、その口縁部２１１には、アーム部３１を受け止めて開閉カバー３の開位置を規制するカバー受部２１２が備わっている（図３の詳細拡大部参照）。
【００１９】
なお、上記アーム部３１は、横長のカバー本体３２の横方向両端に具備されていて、それらのアーム部３１のそれぞれが同心に位置している左右２箇所の横軸２２０によって揺動可能に支えられている。また、上記カバー受部２１２は、横長のトレイ出入口２１０の下側の口縁部２１１の横方向２箇所に形成されている。
【００２０】
このディスク装置では、トレイ出入口２１０の内外間でのディスクトレイ１の押出し引込み動作に開閉カバー３の開閉動作が係合機構５により追従して連動するように構成されている。すなわち、係合機構５は、ディスクトレイ１に樹脂で一体成形された係合部５１と、開閉カバー３のアーム部３１に樹脂で一体成形された被係合部５２とを備えていて、被係合部５２は、上記したカバー受部２１２によってアーム部３１が受け止められたときに、トレイ出入口２１０から押し出されているディスクトレイ１側の係合部５１の後方でその係合部５１に対峙するように構成されている。
【００２１】
このため、図２のようにトレイ出入口２１０の外側へ押し出されているディスクトレイ１が、図３の矢印Ｒのようにトレイ出入口２１０の外側から内側へ引き込まれてくると、同図の詳細拡大部に示したように、その引込み動作の途中で、係合部５１が被係合部５２に係合する。そして、その後のディスクトレイ１の引込み動作に追従して係合部５１が被係合部５２を矢印Ｒで示した後方へ後押しするために、開閉カバー３が横軸２２０を中心として開位置から閉位置へ閉動してトレイ出入口２１０を閉じる。このときには、ディスクトレイ１がトレイ出入口２１０の内側へ引き込まれていて、そのディスクトレイ１により係合部５１と被係合部５２との係合状態がそのまま維持されて開閉カバー３が閉位置に保持される。ディスクトレイ１によって搬入されたディスクに対する記録動作や再生動作はこの状態で行われる。
【００２２】
ところで、図例の開閉カバー３は、トレイ出入口２１０の内側下部の横軸２２０によって支えられた弓形のアーム部３１の自由端にカバー本体３２が設けられているため、カバー本体３２が重いときには、開閉カバー３に開き方向の前倒れ荷重が常時負荷されているという状況が起こり得る。この場合、ディスクトレイ１がトレイ出入口２１０の内側に引き込まれて係合部５１が被係合部５２に係合しているという状態では、開閉カバー３が上記した前倒れ荷重に抗して閉位置に保たれる。そして、この状態からディスクトレイ１が図３の矢印Ｆのように押し出されると、その押出し動作の途中までは開閉カバー３が次第に前方へ倒れ込んでいってディスクトレイ１と共に前進する係合部５１に被係合部５２が寄り掛かったままになり、開閉カバー３のアーム部３１が上記カバー受部２１２に受け止められた後では、係合部５１が被係合部５２から離れる。したがって、ディスクトレイ１の押出し動作に連動して開閉カバー３がその自重による前倒れ荷重に従って開動されるようになる。
【００２３】
これに対し、開閉カバー３の重心位置によっては、その開閉カバー３に閉じ方向の後倒れ荷重が常時負荷されているという状況も起こり得る。この場合には、ディスクトレイ１がトレイ出入口２１０の内側に引き込まれているときには、開閉カバー３がその後倒れ荷重に従って閉方向に付勢された状態になっているので、開閉カバー３は、係合部４１と被係合部５２とが係合してしても係合していなくても閉位置に保たれる。そして、開閉カバー３をいたずらなどで無理に開こうとした場合には、被係合部５２が係合部５１に係合して開閉カバー３の開動が阻止されるために、開閉カバー３が不慮に開かれるという事態が阻止される。また、開閉カバー３が閉位置に保たれている状態からディスクトレイ１が図３の矢印Ｆのように押し出されると、ディスクトレイ１が開閉カバー３のカバー本体３２を押してその開閉カバー３を開動させることになる。
【００２４】
以上から判るように、この実施形態では、開閉カバー３にその自重による前倒れ荷重や後倒れ荷重のいずれが加わっていても、ばねなどの余分な部品を用いずに、ディスクトレイ１の押出し動作に連動して開閉カバー３が無理なく円滑に開動する機構が提供されるという利点がある。
【００２５】
上記した係合機構５の係合部５１や被係合部５２は、ディスクトレイ１の押出し引込み経路の側方へ突出した状態で設けておくことが望ましく、そのようにしておくことによって、開閉カバー３の開閉動作時に被係合部５２がディスクトレイ１の下面と干渉したりするといった不都合を生じるおそれがなくなる。
【図面の簡単な説明】
【００２６】
【図１】図１は本発明に係るディスク装置において、開閉カバーが閉じているときの要部の部分側面図である。
【図２】開閉カバーが開いているときの要部の部分側面図である。
【図３】係合機構の係合部と被係合部とが係合又は離間する時点の要部の部分側面図である。
【図４】ディスク装置本体の概略斜視図である。
【図５】特許文献１の図５を再現した従来例の正面図である。
【符号の説明】
【００２７】
１  ディスクトレイ
３  開閉カバー
５  係合機構
３１  アーム部
３２  カバー本体
５１  係合部
５２  被係合部
２００  フロントパネル（キャビネット）
２１０  トレイ出入口
２１２  カバー受部
２２０  横軸
【図１】
2006351075.tif 000003
【図２】
2006351075.tif 000004
【図３】
2006351075.tif 000005
【図４】
2006351075.tif 000006
【図５】
2006351075.tif 000007